(57)【要約】【課題】足場内の所望の建物形成域内に建物建設部材を運搬し得るようにした施工システムを提供する。【解決手段】建築しようとする建物周囲に施工した外部足場と、該外部足場に形成した建物建設部材を搬入する搬入口と、先端が搬入口から足場上部内に位置する第１の固定レールと、該第１の固定レールと一緒に連結路となる連結レールを形成し得る移動レールと、該移動レールを足場上部両側部でスライド移動し得るように保持する対向した第２の固定レールとを具備し、前記建物建設部材を上下動し得るように保持した吊り具を上記第１の固定レールから前記移動レールに移動させ、建物建設部材を足場内の所望の建物建設域内に運搬し得るように構成した。【選択図】        図２
2007247301.tif 000002
【特許請求の範囲】
【請求項１】
建築しようとする建物周囲に施工した外部足場と、該外部足場に形成した建物建設部材を搬入する搬入口と、先端が搬入口から前記外部足場上部内に位置する第１の固定レールと、該第１の固定レールと一緒に連結路となる連結レールを形成し得る移動レールと、該移動レールを足場上部両側部でスライド移動し得るように保持する対向した第２の固定レールとを具備し、前記建物建設部材を上下動し得るように保持した吊り具を、上記第１の固定レールから前記移動レールに移動させ、建物建設部材を足場内の所望の建物建設域内に運搬し得るように構成したことを特徴とする仮設足場の施工システム。
【請求項２】
前記第１の固定レール及び移動レールは、長尺の金属製厚板の中央に長尺の金属製厚板を立設した逆Ｔ字状に形成されている請求項1記載の施工システム。
【請求項３】
前記移動レールの立設した金属製厚板上端には、補強用ロッドが固定されている請求項２記載の施工システム。
【請求項４】
前記第2の固定レールは、フランジ面が上下になるようなＨ型鋼に形成され、前記移動レール両側端の立設した金属製厚板上端に直接若しくは前記補強用ロッドを介して固定された溝形部材内の対向するころで、前記Ｈ型鋼のウェブを挟持するように構成されている請求項２又は３記載の施工システム。
【請求項５】
前記吊り具は、上端に前記第１の固定レールと移動レール上をスライド移動するローラーを具備し、該ローラーは前記立設した金属製厚板を挟持するように固定され、吊り具上端は前記第2の固定レールの下を通過し得る高さとなっている請求項４記載の施工システム。
【請求項６】
前記移動レールと一緒になって前記連結路を形成する第１の固定レールの端部両水平方向には、前記吊り具の落下を防止するストッパーを設ける請求項１〜５のいずれかに記載の施工システム。
【請求項７】
前記外部足場の上端を斜面に形成し、該斜面の上端に屋根部材を巻回したロールを固定し、斜面の下端に雨樋を設け、該雨樋に巻き戻した屋根部材先端を固定して屋根部を形成する請求項１〜６のいずれかに記載の施工システム。
【発明の詳細な説明】
【技術分野】
【０００１】
この発明は、クレーンを用いなくとも建物の構築ができる仮設足場の施工システムに係り、詳記すれば足場内の所望の建物形成域内に建物建設部材を運搬し得るように構成した施工システムに関する。
【背景技術】
【０００２】
建物建設部材の搬送及び取り付けは、従来、大型クレーンを用いて行っていた。しかしながら、特に都心などの建築現場では、大型クレーンが入り込む場所が確保し難い問題があった。そればかりか、仮設足場に屋根部を形成すると、クレーンを用いて建物外壁を構築できない問題があった。屋根部が邪魔をして、外壁（パネル）を基礎上のアンカーボルトに落として嵌合装着させることができないからである。
【０００３】
このような問題点を解消するため本出願人は、吊り具を足場内周のレール上で移動し得るようにした仮設足場の施工システムを開発し、先に特許出願した（特許文献１参照）。
【特許文献１】特開2003-56177  しかしながら、上記システムは、雨天時でも作業ができるという点で画期的なものであったが、建物建設部材を建設予定の建物の外周にしか運搬できなかった。運搬できない部分には、ロープ等の手段を用いて行ったが、これでは作業能率が悪く到底実施し得なかった。そのため、この方法は現在全く実施されていない。
【０００４】
また、雨天時でも作業ができる屋根部を具備した仮設足場は公知である。しかしながら、従来の屋根部は、建築現場全体を覆うことができないとか、屋根部を形成するのが厄介であるとか、屋根部の取り外しが容易でない等の問題があった。
【発明の開示】
【発明が解決しようとする課題】
【０００５】
この発明のうち請求項１に記載の発明は、足場内の所望の建物形成域内に建物建設部材を運搬し得るようにした施工システムを提供することを目的とする。
【０００６】
また、請求項７に記載の発明は、上記目的に加えて、容易に屋根部を形成することができ、しかも容易に屋根部を取り外すことができる屋根部を具備した仮設足場の施工システムを提供することを目的とする。
【課題を解決するための手段】
【０００７】
上記目的に沿う本発明のうち請求項１に記載の発明は、建築しようとする建物周囲に施工した外部足場と、該外部足場に形成した建物建設部材を搬入する搬入口と、先端が搬入口から前記外部足場上部内に位置する第１の固定レールと、該第１の固定レールと一緒に連結路となる連結レールを形成し得る移動レールと、該移動レールを足場上部両側部でスライド移動し得るように保持する対向した第２の固定レールとを具備し、前記建物建設部材を上下動し得るように保持した吊り具を、上記第１の固定レールから前記移動レールに移動させ、建物建設部材を足場内の所望の建物建設域内に運搬し得るように構成したことを特徴とする。
【０００８】
前記第１の固定レール及び移動レールは、長尺の金属製厚板の中央に長尺の金属製厚板を立設した逆Ｔ字状に形成するのが強度上の理由から好ましく（請求項２）、前記移動レールの立設した金属製厚板上端には、補強用ロッドを固定するのが、更に変形が効果的に防止し得ることから好ましい（請求項３）。
【０００９】
前記第2の固定レールは、フランジ面が上下になるようなＨ型鋼に形成され、前記移動レール両側端の立設した金属製厚板上端に直接若しくは前記補強用ロッドを介して固定された溝形部材内の対向するころで、前記Ｈ型鋼のウェブを挟持するように固定するのが良い（請求項４）。
【００１０】
前記吊り具は、上端に前記第１の固定レールと移動レール上をスライド移動するローラーを具備し、該ローラーは前記立設した金属製厚板を挟持するように固定し、吊り具上端は前記第2の固定レールの下を通過し得る高さとするのが好ましい（請求項５）。
【００１１】
前記移動レールと一緒になって前記連結路を形成する第１の固定レールの端部両水平方向には、前記吊り具の落下を防止するストッパーを設けるのが好ましい（請求項６）。
【００１２】
前記外部足場の上端を斜面に形成し、該斜面の上端に屋根部材を巻回したロールを固定し、斜面の下端に雨樋を設け、該雨樋に巻き戻した屋根部材先端を固定することによって、屋根部を容易に形成することができる（請求項７）。
【００１３】
上記のように構成すると、屋根部を取り外す時は、ロールには屋根部材の後端が固定されているので、ロールを転がすだけで、屋根部材を巻回したロールが雨樋内に位置するようになり、屋根部を極めて容易に取り外すことができる。
【発明の効果】
【００１４】
この発明のうち請求項１に記載の発明によれば、仮設足場に屋根部を形成した状態で、足場内の所望の建物形成域内に建物建設部材を運搬することができるので、極めて能率的に建設作業を行うことができる。
【００１５】
また、請求項７に記載の発明によれば、上記利点に加えて、容易に屋根部を形成することができ、しかも容易に屋根部を取り外すことができる利点が得られる。
【発明を実施するための最良の形態】
【００１６】
次に、本発明の実施の形態を図面に基づいて説明する。
【００１７】
図1に示すように、建築物の基礎の外周に間隔づけて、外部足場1が先行施工され、該外部足場1の一端には、搬入口２が形成されている。搬入口２上端には、足場１上部内に位置する直線状固定レール３が固定されている。直線状固定レール３先端は、建築する建物外壁よりは、当然手前になっている。
【００１８】
図２に示すように、第１の固定レール３先端には、固定レール３先端から左右の両水平方向に移動する移動レール4が配設されている。
【００１９】
第１の固定レール3及び移動レール４は、それぞれ長尺の金属製厚板５，５´の中央に長尺の金属製厚板６，６´を立設した逆Ｔ字状に形成され、金属製厚板６，６´上端には、クランプ７，７´によって補強用ロッド８，８´が固定されている。このように補強用ロッド８，８´を固定することによって、重量のある物体を吊り下げても、第１の固定レール3及び移動レール４の変形が効果的に防止される。尚、移動レール４には、3本の補強用ロッド８´が固定されているが、これは1本であっても差し支えない。
【００２０】
しかしながら、金属製の厚いＴ字形材を使用するとか、金属製厚板５の長さ方向両側端を若干上方に曲げるようにしても、固定レール3及び移動レール４の曲げは防止できるので、補強用ロッドは1本であっても差し支えない。
【００２１】
足場１内両側部の固定レール３及び移動レール４と直交する方向には、前記移動レール４をスライド自在に保持する対向する第2の固定レール９，９´が固定されている。
【００２２】
対向する第２の固定レール９，９´は、長尺のＨ型鋼２０，２０´のフランジ面２１，２１と２１´，２１´が上下となるように形成され、前記移動レール４両側端に固定された対向するローラー１０，１０´で前記Ｈ型鋼のウェブ２２，２２´両側面を挟持している。
【００２３】
ローラー１０，１０´は、補強用ロッド８´の両端上に固定した溝形部材１１，１１´の両側壁に複数のころ１２，１２´を、回動自在に固定することにより構成され、ころ１２，１２´で前記Ｈ型鋼のウェブ２２，２２´の両側面をスライド自在に挟持している。
【００２４】
第１の固定レール３及び移動レール４上には、建物建設部材を運搬する吊り具１３が走行し得るように固定されている。吊り具１３下端には、上下動し得るウインチ１４が固定され、ウインチ１４で建物建設部材を吊り下げ運搬するようになっている。
【００２５】
吊り具１３は、上端の溝形部材１５の両側壁に固定した複数のコロ１２ａで、金属製厚板６，６´の両側部をスライドし得るように挟持し、前記固定レール３と移動レール４上を走行し得るようになっている。
【００２６】
吊り具１３の上端は、固定レール９´を支持する溝形部材１１´の下端を通過し得る高さとなっているのは勿論である。即ち、溝形部材１１´を直接金属製厚板６´上に固定する場合は、金属製厚板６´の高さ以下に、補強用ロッド８´上に固定する場合は、補強用ロッド８´以下の高さとなっている。
【００２７】
移動レール４の前記連結路を形成する第１の固定レール３側の端部の両水平方向には、吊り具１３の落下を防止するストッパー壁１６が固定されている。これは必ずしも必要ではないが、このように構成すると、誤って吊り具１３が落下するのを防止することができる。尚、移動レール４の他端には、適当なストッパーを設けておけばよいので、特にストッパー壁１６は設けなくとも良い。
【００２８】
図１及び図4に示すように、斜面に形成された外部足場の上端に、屋根部材１７ａ，１７ｂ，１７ｃを巻回したロール１8ａ，１8ｂ，１8ｃを固定し、斜面の下端に雨樋１9を設けている。このようにロールを3本設けているのは、1本では、大きくなりすぎて、取り付け、取り外しが極めて困難となるからである。
【００２９】
図1に示すように、両側部のロール１8ａ，１8ｃは、同一軸心上にあるが、中央のロール１8ｂは、両側部のロールの後方に位置している。このように構成することによって、図4に示すように、屋根部材１７ａ，１７ｂ，１７ｃを巻き戻して先端を雨樋１９に固定して屋根部を形成するときに、接合部に重合部が形成され、雨漏りの量を少なくすることができる。
【００３０】
雨樋１９は、中央の雨樋１９ｂが両側部の雨樋１９ａ及び１９ｃより突出しているが、雨樋１９ａ，１９ｂ，１９ｃの溝は連通している。雨樋１９端部の集水孔に集められた雨水は、集水孔に連結された縦樋２０から地面に落下するようになっている。
【００３１】
工事終了後、屋根部材１７ａ，１７ｂ，１７ｃを取り外す時は、巻心２３を取り外し、これを屋根部の斜面に転がすだけで、屋根部材１７ａ，１７ｂ，１７ｃは巻心２３に巻かれて、それぞれ雨樋１９ａ，１９ｂ，１９ｃ中に落下するので、屋根部の取り外しが極めて容易となる。
【００３２】
本発明の施工システムを使用して建物の内壁及び外壁を構築するには、まず第１の固定レール４上の吊り具１３のウインチ１４でパネルを吊り下げ、電動若しくは手動で第１の固定レール３から移動レール４に移動させる。それから、移動レール４を所定の場所に移動させて、基礎上のアンカーボルトの真上からパネルを落として、パネルをアンカーボルトに嵌合させる。それから、移動レール４を固定レール３と同一直線上の連結路が形成される図１〜図４に示す位置に移動させる。電動で移動させる場合には、レーザー若しくは赤外線センサー等を使用して、移動レールの位置決めをすればよい。
【００３３】
次いで、ウインチ１４で、次の建設部材を吊り下げ、同様にして何回も繰り返し建設部材を運んで、１階の外壁、柱、間仕切り等を形成した後、床を載せて、順次下から上の階への建物の構築をし、最後に屋根を形成する。
【００３４】
上記のように、本発明によれば、建物建設部材の全てを吊り具で運ぶことができるので、足場に屋根部を設けても支障なく建物の建設をすることができる。
【図面の簡単な説明】
【００３５】
【図１】本発明の一実施例を示す斜視図である。
【図２】本発明の固定レールと移動レールの連結時の状態を示す図である。
【図３】図2の連結部の拡大図である。
【図４】本発明の屋根部を形成する状態を示す斜視図である。
【符号の説明】
【００３６】
１・………外部足場
２・………搬入口
３・………第１の固定レール
４・………移動レール
８，８´・………補強用ロッド
９，９´・………第２の固定レール
１０，１０´・………ローラー
１３・………吊り具
１４・………ウインチ
１６・………ストッパー壁
１７ａ，１７ｂ，１７ｃ・………屋根部材
１８ａ，１８ｂ，１８ｃ・………屋根部材を巻回したロール
１９ａ，１９ｂ，１９ｃ・………雨樋
【図１】
2007247301.tif 000003
【図２】
2007247301.tif 000004
【図３】
2007247301.tif 000005
【図４】
2007247301.tif 000006